(57)【要約】      （修正有）【課題】モニタ画面のキー入力に対応する部位の表示データを自由な位置で確認できるようにする。【解決手段】コンピュータのインタフェイス部に接続された機器を認識するプログラムと、モニタ画面上のカーソルまたはポインタの位置にあるキー入力前後のデータを作成するプログラムと、入力前後データをコンピュータのインタフェイス部に転送させるプログラムとを設定し、入力表示用端末器に、インタフェイス部からのデータを解読するデコード部と、解読されたデータに逐次対応して表示データに変換するデータ生成部と、データ生成部のデータにより入力前後データを表示する表示装置を個別に設ける。【選択図】図１
2005242968.tif 000002
【特許請求の範囲】
【請求項１】
コンピュータと、コンピュータにデータを入力するキーボードと、前記コンピュータの情報を表示するモニタ画面と、キーボードからの入力データを前記モニタ画面のカーソルまたはポインタの表示位置に所定の文字列だけ表示させるプログラムと、前記データを前記コンピュータのインタフェイス部に転送させるプログラムを有した前記コンピュータにおいて、前記インタフェイス部からのデータを読み取るデコード部と、デコード部のデータを表示に対応した表示データに変換するデータ生成部と、データ生成部の信号により表示する表示装置。
【発明の詳細な説明】
【技術分野】
【０００１】本発明は、パーソナルコンピュータにデータをキー入力する時に、入力したデータの前後を個別に表示する表示端末器に関する。
【背景技術】
【０００２】従来の入力表示用端末器には、キーボードに液晶表示部を施したものがある。（例えば特許文献１参照。）また表示する液晶表示部に着脱可能な吸盤を付設しているものがある。（例えば特許文献２参照。）
以下、特許文献１の図１、特許文献２の図１により従来の入力表示について説明する。
特許文献１の図１は、キーボードに制御部、メモリ、表示データ生成部、表示部、インタフェイス部を含んだものである。
特許文献２の図１は、キーボードから入力したデータを表示する液晶表示部を、キーボードに着脱可能な吸盤付きとしたものである。
【特許文献１】特開平０７−１６０３９０号公報（第５頁、図１）
【特許文献２】特開平０７−１７７２６６号公報（第３頁、図１）
【発明の開示】
【発明が解決しようとする課題】
【０００３】従来の表示部付きキーボードは、メモリ、制御部、表示データ生成部、インタフェイス部、表示部で構成されており、表示部付きキーボード専用であるので、既存の汎用キーボードを利用出来ない問題点がある。
また、表示部がキーボードに固定されており、オペレータが入力を行う場合、視線が限定されて任意の位置に設置できないという問題点がある。
【課題を解決するための手段】
【０００４】本発明の入力表示用端末器は、コンピュータのインタフェイス部に接続された機器を認識するプログラムと、キーボードからの入力データをコンピュータのモニタ画面上のカーソルまたはポインタの位置にあるキー入力前後のデータを作成するプログラムと、前記入力前後データを前記コンピュータのインタフェイス部に転送させるプログラムとを設定した前記コンピュータにおいて、前記インタフェイス部からのデータを解読するデコード部と、解読されたデータに逐次対応して表示データに変換するデータ生成部と、データ生成部のデータにより入力前後データを表示する表示装置。
【発明の効果】
【０００５】本発明は、コンピュータのインタフェイス部から、本発明の入力表示用端末器を認識させ、キー入力の前後データをモニタ画面に部分表示するとともに、インタフェイス部にこのデータを転送できるプログラムを設定しており、本発明の入力表示用端末器を接続すれば、入力表示用端末器にキー入力した前後データが表示されるので、既設のキーボードを利用し、入力表示用端末器を自由に設置してキー入力者は視線を上下することなく作業することができる。
【実施例】
【０００６】本発明の実施例について図面を参照して詳細に説明する。【０００７】図１は本発明の入力表示用端末器の平面図、図２は本発明の入力表示用端末器の回路ブロック図である。【０００８】図３は本発明の入力表示用端末器を、コンピュータ、モニタ、キーボードと接続した実施例である。
最初にコンピュータに本入力用端末器を作動させるためのアプリケーションソフトウエア（以下アプリソフトという）をコンピュータにインストールする。アプリソフトは、例えばディスクなどの電子媒体に収められているが、インターネットを利用したコンピュータへのダウンロード等でも実行できる。【０００９】アプリソフトの構成について図４で説明する。アプリソフトは、コンピュータのインタフェイス部に接続された機器を認識する機器認識プログラムと、コンピュータのモニタ全体画面上のカーソル位置前後データを同画面の別の位置に保持するカーソル位置データプログラムと、前記カーソル位置前後データをインタフェイス部に転送する転送プログラム構成されている。
機器認識プログラムモジュールと転送プログラムモジュールのソフトウエア上の通信規格は、ＵＮＩＶＥＲＳＡＬ  ＳＥＲＩＡＬ  ＢＵＳ  ＩＭＰＬＬＥＭＥＮＴＥＲＳ  ＦＯＲＵＭ，ＩＮＣ（以下ＵＳＢ−ＩＦと言う）により定められたフォーマットに従って作成されている。
アプリソフトを電子媒体などでコンピュータにインストールする。このとき入力用端末機器が何であるかを認識するコードを機器認識プログラムに認識させる。
次にモニタのカーソル位置及びポインタ位置の前後データをカーソル位置データプログラムによりコンピュータに一時保持させ、このデータをコンピュータに接続されたモニタに表示させると同時に転送プログラムによりコンピュータのインタフェイス部に転送する。以上の働きをするアプリソフトをコンピュータにインストールする。【００１０】本発明の入力表示用端末器の回路構成ついて図２で説明する。回路構成は図２に示すようにコンピュータのインタフェイス部と接続される接続部と、前記接続部に送出されるデータを解読するデコード部と、デコード部からのデータをキー入力データに変換するデータ−生成部により液晶表示部に表示される。【００１１】アプリソフトがインストールされたコンピュータにおいて、インタフェイス部に、入力表示用端末器の接続部を接続し、キーボードからデータを入力する。
入力されたデータは、コンピュータのモニタ画面上に順次表示される。モニタ画面のカーソルマークで指示された部分の前後データは、入力最新データとして常にカーソル位置データプログラム保持され、モニタ画面の任意の位置に表示される。前記入力前後データは転送プログラムによりインタフェイス部に転送される。インタフェイス部に転送された入力前後データは入力表示用端末器のデコード部により解読され、データ生成部により入力表示用端末器の液晶表示部に表示される。以上の動作により入力しているデータが、入力表示用端末器に表示される。
【図面の簡単な説明】
【００１２】
【図１】本発明の入力表示用端末器の平面図、図２は本発明の入力表示用端末器の回路ブロック
【図２】図１の入力表示用端末器の回路ブロック図
【図３】図１の入力表示用端末器をコンピュータ、キーボード、モニタと接続したシステム図
【図４】図３のコンピュータにインストールするアプリケーションソフトウエアのフローチャート図
【符号の説明】
１    入力表示用端末器本体
２    液晶表示部
３    接続端子
４    接続ケーブル
１１  接続部
１２  デコード部
１３  データ生成部
【図１】
2005242968.tif 000003
【図２】
2005242968.tif 000004
【図３】
2005242968.tif 000005
【図４】
2005242968.tif 000006